(57)【要約】【課題】保守員や管理人等がエレベータかご内で少ない労力で短時間に安全に映像確認作業を行うことにある。【解決手段】エレベータかご１内に設置する防犯カメラ２で撮影された映像をエレベータかご上部の記録装置３に記録する。この記録装置３にはエレベータかご内に設置するタッチパネル付き表示器４が接続されている。この表示器４は、タッチパネルの所定エリアにタッチするか、所定の操作を行ったとき、メニュー選択画面を表示する。メニュー画面には映像表示、記憶処理、動作条件変更処理のメニューが形成されている。何れかを選択すると、必要な条件入力等の画面が表示され、その条件入力に従って、記録装置３に記録される映像の表示、当該映像の記憶、さらに防犯カメラを含む記録装置の動作条件変更を当該記録装置に設定する処理を行うエレベータ用防犯システムである。【選択図】　　図１
2004064306.tif 000002
【特許請求の範囲】
【請求項１】
エレベータかご内を撮影する防犯カメラと、この防犯カメラで撮影された映像を記録する記録装置とを備えたエレベータ用防犯システムにおいて、
前記エレベータかごの壁面に設置され、かつ、前記記録装置に接続され、初期画面であるメニュー選択画面にタッチ選択し、前記記録装置に記録される映像の表示、映像記憶処理および前記防犯カメラを含む前記記録装置の動作条件変更設定を選択的に実行するタッチパネル付き表示器を設けたことを特徴とするエレベータ用防犯システム。
【請求項２】
エレベータかご内を撮影する防犯カメラと、この防犯カメラで撮影された映像を記録する記録装置と、この記録装置に接続され、タッチパネルのタッチ操作により所要とする処理を実行する前記エレベータかごの壁面に設置されたタッチパネル付き表示器とを備えたエレベータ用防犯システムであって、
前記タッチパネル付き表示器は、
所要とする複数のメニュー画面を記憶するメニュー画面記憶手段と、
前記タッチパネルの所定エリアのタッチ操作或いは所定の操作に基づいて前記メニュー画面記憶手段に記憶されているメニュー選択画面を表示部に表示し、映像表示及び記憶処理の何れかの選択を促すメニュー選択手段と、
このメニュー選択手段によって映像表示メニューが選択された場合、前記メニュー画面記憶手段に記憶される表示条件画面を表示し、表示条件指定を促す表示条件入力手段と、
この表示条件入力手段により入力される表示条件に従って前記記録装置に記録される映像を読み出して表示する映像表示手段と、
前記メニュー選択手段によって記憶処理メニューが選択された場合、前記メニュー画面記憶手段に記憶される記憶処理条件画面を表示し、記憶処理条件指定を促す記憶処理条件入力手段と、
この記憶処理条件入力手段により入力される記憶処理条件に従って前記記録装置に記録される映像を読み出して記憶する映像記憶手段と
を備えたことを特徴とするエレベータ用防犯システム。
【請求項３】
請求項２に記載のエレベータ用防犯システムにおいて、
前記タッチパネル付き表示器は、
前記メニュー選択手段に動作条件変更処理のメニュー選択画面が追加されている場合、
このこのメニュー選択手段によって動作条件変更処理のメニューが選択された場合、前記記録装置から前記防犯カメラを含み、或いは当該防犯カメラを含まない前記記録装置の動作条件を読み出して表示する手段と、
この手段により表示された動作条件を参照し、所要とする動作条件に変更し前記記録装置に設定する手段と
を設けたことを特徴とするエレベータ用防犯システム。
【請求項４】
請求項１ないし請求項３の何れか一項に記載のエレベータ用防犯システムにおいて、
前記タッチパネル付き表示器には、挿脱可能な挿入口が設けられ、またＰＣカードスロットが搭載され、前記挿入口にＰＣカードが挿入されたとき、当該ＰＣカードスロットを介して割込みを行い、前記タッチパネルから映像の転送指示を受けたとき、前記表示器内部に記憶される映像を前記ＰＣカードに転送記憶することを特徴とするエレベータ用防犯システム。
【請求項５】
請求項１ないし請求項３の何れか一項に記載のエレベータ用防犯システムにおいて、
前記表示器および前記記録装置にそれぞれ赤外線通信ポートを設けるとともに、前記エレベータかごの壁に貫通部分を形成し、前記貫通部分に前記赤外線通信ポートを対峙させ、前記表示器と前記記録装置との間で映像データを含む各種のデータの赤外線通信を行うことを特徴とするエレベータ用防犯システム。
【請求項６】
請求項１ないし請求項３の何れか一項に記載のエレベータ用防犯システムにおいて、
前記表示器は、前記エレベータかご内の壁に取り外し可能に設置され、請求項５に記載する構成に基づいて前記表示器と前記記録装置との間で映像データを含む各種のデータの赤外線通信を行うことを特徴とするエレベータ用防犯システム。
【請求項７】
請求項１ないし請求項６の何れか一項に記載のエレベータ用防犯システムにおいて、
前記記録装置による映像記録は、当該記録装置に設定される前記動作条件と前記エレベータかごに設置される人感センサによる人間の検知とを条件に前記エレベータかご内を撮影することを特徴とするエレベータ用防犯システム。
【請求項８】
請求項１ないし請求項６の何れか一項に記載のエレベータ用防犯システムにおいて、
前記防犯カメラの内部にマイクロホンが内蔵され、また前記記録装置には前記マイクロホンから発生する音声信号を記憶する記憶手段を備えていることを特徴とするエレベータ用防犯システム。
【発明の詳細な説明】
【０００１】
【発明の属する技術分野】
本発明は、エレベータかご内の様子を撮影するエレベータ用防犯システムに関する。
【０００２】
【従来の技術】
従来、エレベータかご内の犯罪を防止する観点から、乗りかご内に防犯カメラを設置し、乗りかご内の様子を撮影し記録することが行われている。
【０００３】
このエレベータ用防犯システムは、エレベータかごの天井に取付けられ、エレベータかご内の映像を撮影する防犯カメラと、乗りかごの上部に設置され、防犯カメラで撮影された映像を記録する記録装置とが設けられ、この記録装置には映像用ケーブルが接続されている。
【０００４】
このシステムでは、定期的或いは必要に応じて記録された映像を点検する場合、エレベータ保守員が営業所等に準備している携帯パソコンを携行し、現地の点検場所に出向き、映像用ケーブルに映像信号用インタフェースを介してパソコンを接続する。そして、所定の操作のもとに記録装置に記録されているエレベータかご内の映像をパソコン表示部に表示するとともに記憶部に記憶し、営業所等に持帰る方法をとっている。
【０００５】
【発明が解決しようとする課題】
ところで、以上のような防犯システムでは、次のような種々の問題が指摘されている。
【０００６】
（１）　保守員が携帯パソコンを携行し、エレベータかご上に設置される記録装置に接続するために、エレベータの運行を停止させて点検・確認作業を実施しなければならない。
【０００７】
（２）　また、１つの施設に多数のエレベータが設置されているが、各エレベータごとに携帯パソコンを持ち歩いて点検・確認等の作業を行う必要があり、保守員の疲労度の増大は否めない。
【０００８】
（３）　また、通常、防犯カメラは目立たない状態で設置されているだけであり、防犯カメラ以外に犯罪を抑止する機能をもっていない。
【０００９】
さらに、別のシステムとしては、乗りかご内に設置される防犯カメラで撮像された映像を乗りかご外の監視室等で監視する場合も考えられているが、常時監視員を常駐させる必要があり、監視員が施設的な面から常駐できないとか、或いはコストの面から常駐させない場合、利用不可となる。また、カメラで撮影された映像はリアルタイムに表示するだけであり、過去に溯って映像を確認できない。
【００１０】
本発明は上記事情に鑑みてなされたもので、保守員や管理人が少ない労力で短時間に安全に映像確認作業を行い得るエレベータ用防犯システムを提供することを目的とする。
【００１１】
また、本発明の他の目的は、エレベータかご内で記録装置や防犯カメラの動作条件等を設定可能にするエレベータ用防犯システムを提供することにある。
【００１２】
さらに、本発明の他の目的は、所望の記録映像を選択しダウンロード可能なエレベータ用防犯システムを提供することにある。
【００１３】
【課題を解決するための手段】
（１）　上記課題を解決するために、エレベータかご内を撮影する防犯カメラと、この防犯カメラで撮影された映像を記録する記録装置とを備えた本発明に係るエレベータ用防犯システムは、エレベータかごの壁面に設置され、かつ、前記記録装置に接続され、初期画面であるメニュー選択画面にタッチ選択し、前記記録装置に記録される映像の表示、映像記憶処理および前記防犯カメラを含む前記記録装置の動作条件変更設定を選択的に実行するタッチパネル付き表示器を設けた構成である。
【００１４】
この発明は以上のような構成とすることにより、エレベータかごの壁面にタッチパネル付き表示器を設置し、保守員や管理人が必要に応じて初期画面であるメニュー選択画面にタッチし、前記記録装置に記録される映像の表示、映像記憶処理および前記防犯カメラを含む前記記録装置の動作条件変更設定処理を可能とするので、エレベータかご内で少ない労力で短時間に安全に映像確認作業を行うことが可能である。
【００１５】
（２）　また、本発明に係るエレベータ用防犯システムは、エレベータかご内を撮影する防犯カメラと、この防犯カメラで撮影された映像を記録する記録装置と、この記録装置に接続され、タッチパネルのタッチ操作により所要とする処理を実行する前記エレベータかごの壁面に設置されたタッチパネル付き表示器とを備え、
このタッチパネル付き表示器は、所要とする複数のメニュー画面を記憶するメニュー画面記憶手段と、前記タッチパネルの所定エリアのタッチ操作或いは所定の操作に基づいて前記メニュー画面記憶手段に記憶されているメニュー選択画面を表示部に表示し、映像表示及び記憶処理の何れかの選択を促すメニュー選択手段と、このメニュー選択手段によって映像表示メニューが選択された場合、前記メニュー画面記憶手段に記憶される表示条件画面を表示し、表示条件指定を促す表示条件入力手段と、この表示条件入力手段により入力される表示条件に従って前記記録装置に記録される映像を読み出して表示する映像表示手段と、前記メニュー選択手段によって記憶処理メニューが選択された場合、前記メニュー画面記憶手段に記憶される記憶処理条件画面を表示し、記憶処理条件指定を促す記憶処理条件入力手段と、この記憶処理条件入力手段により入力される記憶処理条件に従って前記記録装置に記録される映像を読み出して記憶する映像記憶手段とが設けられている。
【００１６】
この発明は以上のような構成とすることにより、記録装置に記録されている映像を表示する場合又は記録装置に記録されている映像を記録する場合でも、タッチパネルを用いて所要とする条件のもとに映像を連続表示したり、連続記録したり、あるいはある指定時間内で映像表示、映像記憶することが可能となる。
【００１７】
さらに、タッチパネル付き表示器のメニュー選択手段に動作条件変更処理のメニュー選択画面が追加されている場合、
このこのメニュー選択手段によって動作条件変更処理のメニューが選択された場合、前記記録装置から前記防犯カメラを含み、或いは当該防犯カメラを含まない前記記録装置の動作条件を読み出して表示する手段と、この手段により表示された動作条件を参照し、所要とする動作条件に変更し前記記録装置に設定する手段とを設ければ、現在の動作条件を参照しながら動作条件を変更し記録装置に設定することが可能である。
【００１８】
（３）　なお、タッチパネル付き表示器には、挿脱可能な挿入口を設け、またＰＣカードスロットを搭載し、挿入口にＰＣカードが挿入すれば、タッチパネルから映像の転送指示に基づき、表示器内部に記憶される映像をＰＣカードにダウンロードすることが可能であり、エレベータかごから外部に持ち出して管理したり、映像確認をすることが可能となる。
【００１９】
また、表示器および記録装置にそれぞれ赤外線通信ポートを設けることにより、表示器と記録装置との間で映像データを含む各種のデータの赤外線通信により実現することが可能である。
【００２０】
さらに、表示器は、記エレベータかご内の壁に取り外し可能に設置することも可能である。
【００２１】
さらに、エレベータかごに人感センを設ければ、記録装置に設定される前記動作条件と人感センサによる人間の検知とを条件にエレベータかご内の映像を記録することが可能となり、記録容量の利用効率を上げることができる。
【００２２】
さらに、防犯カメラの内部にマイクロホンを内蔵すれば、記録装置はエレベータかご内の音声も記録でき、犯罪を未然に防止することやエレベータ内の状況を適切に解析することが可能となる。
【００２３】
【発明の実施の形態】
以下、本発明の実施の形態について図面を参照して説明する。
【００２４】
（実施の形態１）
図１は本発明に係わるエレベータ用防犯システムの一実施の形態を示す構成図である。
【００２５】
このエレベータ用防犯システムは、エレベータかご１内の例えば天井の適宜な個所に取付けられ、エレベータかご内の様子を撮影する防犯カメラ２と、この防犯カメラ２により撮影された映像を取り込んで記録する例えばハードディスクレコーダなどの記録装置３と、エレベータかご１の内壁の適宜な個所に設置され、記録装置３に記録されている映像を読み出して表示するタッチパネル付き表示器４とによって構成されている。
【００２６】
タッチパネル付き表示器４は、所要とする処理を実行するＣＰＵで構成される演算処理制御部１１が設けられ、この演算処理制御部１１からバスライン１２が導出されている。このバスライン１２には、演算処理制御部１１に所要の処理を実行させるためのプログラムデータを記憶するプログラム記憶部１３、各種のメニュー画面を記憶するメニュー画面記憶部１４、処理中又は処理結果のデータを一時格納する一時データ記憶部１５の他、映像データを記憶する映像データ記憶部１６が接続されている。なお、これら記憶部１３〜１６はそれぞれ独立した状態で記載されているが、少なくとも１つの記憶媒体に領域分けして必要なデータを記憶することも可能である。
【００２７】
また、バスライン１２には、動作条件データや記録装置３に記録されている映像データを授受する送受信制御部１７及び入出力インターフェイス１８が設けられている。この入出力インターフェイス１８には、タッチパネル１９が施された表示部２０が設けられている。
【００２８】
前記演算処理制御部１１は、機能的には、メニュー画面記憶部１４に記録される映像表示、映像記憶処理、動作条件変更処理等を記述するメニュー画面を表示し選択を促すメニュー選択手段１１１と、このメニュー画面の中から映像表示が選択されたとき、例えば連続表示・日時指定その他の条件の入力を促す表示条件入力手段１１２と、この条件入力手段１１２から入力される表示条件のもとに映像の読み出し指示データを送受信制御部１７を経由して記録装置３に送信し、記録装置３に記録される映像を順次読み出して一時データ記憶部１５に記憶するとともに表示部２０に表示する一方、記憶指示が入力されたとき表示部２０に表示される映像，つまり一時データ記憶部１５に記憶される映像データを映像データ記憶部１６に記憶する映像表示手段１１３と、前記メニュー画面の中から記憶処理が選択されたとき、例えば連続表示・日時指定その他の条件の入力を促す記憶処理条件入力手段１１４と、この条件入力手段１１４から入力される記憶処理条件のもとに記録装置３に記録される映像を順次読み出して映像データ記憶部１６に記憶する映像記憶手段１１５とが設けられている。
【００２９】
さらに、前記メニュー画面の中から動作条件変更処理が選択されたとき、記録装置３に既に設定されている動作条件を読み出して表示し、例えば連続記録・日時記録、アラーム記録、画質等の動作条件の変更入力に基づいて記録装置３に変更された動作条件を設定する動作条件変更設定手段１１６とが設けられている。なお、動作条件変更設定手段１１６は、記録装置３だけでなく、防犯カメラ２の動作条件も設定するものとする。
【００３０】
なお、メニュー画面の選択は、映像表示、記録処理、動作条件変更処理の順序で説明したが、これらの順序は特に限定するものでなく、また１つ以上の処理を行う場合も有り得る。
【００３１】
次に、以上のような防犯システムの動作について図３を参照して説明する。
【００３２】
表示器４の動作が開始すると、プログラム記憶部１３に記憶されるプログラムに従って例えば図３に示すような一連の処理を実行する。
【００３３】
すなわち、一時データ記憶部１５などに記憶される不要データを消去したり、所定の動作状態に設定する初期化処理を実行する（Ｓ１）。
【００３４】
この状態において、常時カメラ映像表示か否かを判断し（Ｓ２）、常時表示の場合には既に設定されている動作条件のもとに連続記録であれば、防犯カメラ２で撮影された映像を記録装置３から読み出して表示器３の表示部２０に表示する（Ｓ３）。その結果、防犯カメラ２で撮影されたエレベータかご内が監視映像が表示部２に表示される結果、犯罪を抑止する役割を十分に果たすことができる。。なお、日時指定の場合、設定された日時の間，例えば午後９：００から午前６：００の間だけ防犯カメラ２で撮影された映像を表示する（Ｓ３）。
【００３５】
ところで、保守員は、定期的或いは必要に応じて適宜な時期にメンテナンスする場合、現場のエレベータかご１に乗り、表示部２０に表示される映像画面の中の所定のエリアに相当するタッチパネル１９にタッチすると（Ｓ４）、メニュー画面記憶部１４から映像表示、映像記録処理、動作条件変更処理等のメニュー画面を読み出し、表示部２０に表示する（Ｓ５）。
【００３６】
なお、ステップＳ２において、常時・日時指定表示でないと判断された場合、防犯カメラ２で撮影された映像は記録装置３に記録するだけとし、必要に応じて表示器４の表示部２０に表示せずに常時例えば暗視状態としタッチパネル１９の所定のエリアをタッチしたとき、或いは表示器４の所要とする鍵穴に鍵の入力し所定の操作を行ったとき（Ｓ６）、同様にメニュー画面記憶部１４からメニュー画面を読み出し、表示部２０に表示する（Ｓ５）。
【００３７】
ここで、保守員がメニュー画面の中から映像表示、映像記憶処理、或いは動作条件変更処理の何れのメニューが選択されたか否かを判断する（Ｓ７，Ｓ８）。これら一連の処理はメニュー選択手段１１１に相当する。
【００３８】
ステップＳ７において、記録映像表示と判断された場合、メニュー画面記憶部１４から連続表示か日時指定表示その他の表示かを選択させる表示条件メニュー画面を読み出して表示部２０に表示する（Ｓ１１）。なお、表示条件メニュー画面には必要に応じてキーボードに相当する所定の入力画面が付加されている。
【００３９】
ここで、保守員の選択に基づいて連続表示と判断された場合（Ｓ１２）、連続読み出し指示を送受信制御部１７を介して記録装置３に送信し、この指示に基づいて記録装置３に記録されている映像を読み出し（Ｓ１３）、一時データ記憶部１５に記憶すると共に表示部２０に連続的に表示する（Ｓ１５，Ｓ１６）。
【００４０】
ステップＳ１２において、連続表示でない場合には入力画面に日時指定データが入力され、かつ、表示条件メニュー画面の中から日時指定の選択があったと判断すると（Ｓ１４）、日時指定データと共に読み出し指示を送受信制御部１７を介して記録装置３に送信し、この指示に基づいて記録装置３に記録されている映像を読み出し（Ｓ１３）、一時データ記憶部１５に記憶すると共に表示部２０に連続的に表示する（Ｓ１５，Ｓ１６）。これらステップＳ１１，Ｓ１２，Ｓ１４は表示条件入力手段１１２に相当する。なお、日時指定が無ければ終了となる。
【００４１】
以上のようにして表示部２０に映像を表示した後（Ｓ１５）、表示終了指示或いは指定日時終了を判断し（Ｓ１６）、表示終了となったとき、記憶するか否かを判断し（Ｓ１７）、記憶すると判断された場合には一時データ記憶部１５に記憶される映像データを映像データ記憶部１６に記憶する（Ｓ１８）。これらステップＳ１３，Ｓ１５〜Ｓ１８等は映像表示手段１１３に相当する。
【００４２】
さらに、ステップＳ８において、記録処理メニューが選択されたと判断された場合、メニュー画面記憶部１４から記憶条件メニュー画面を読み出して表示部２０に表示する（Ｓ２１）。なお、記憶条件メニュー画面にはキーボードに相当する所定の入力画面が付加されている。
【００４３】
ここで、保守員の選択に基づいて連続記憶と判断された場合（Ｓ２２）、連続読み出し指示を送受信制御部１７を介して記録装置３に送信し、この指示に基づいて記録装置３に記録されている映像を読み出し、映像データ記憶部１６に記憶し（Ｓ２３）、また連続記憶でない場合には入力画面に日時指定データが入力され、かつ、記憶条件メニュー画面の中から日時指定の選択があったと判断すると（Ｓ２４）、日時指定データと共に読み出し指示を送受信制御部１７を介して記録装置３に送信し、この指示に基づいて記録装置３に記録されている映像を読み出し、映像データ記憶部１６に記憶する（Ｓ２３）。この記憶処理は終了するまで行われる（Ｓ２５）。これらステップＳ８，Ｓ２１，Ｓ２２，Ｓ２４は記憶処理条件入力手段１１４、Ｓ２３，Ｓ２５は映像記憶手段１１５に相当する。
【００４４】
さらに、記録映像表示でも記録処理でもなく、動作条件変更処理であると判断された場合、送受信制御部１７を介して記録装置３から既に設定中の動作条件を読み出し、所定の順序で埋め込んでなるメニュー画面記憶部１４の動作条件メニュー画面を読み出し、表示部２０に表示する（Ｓ３１）。このとき、動作条件メニュー画面とともにキーボードに相当する入力画面が表示される。
【００４５】
引き続き、動作条件変更か否かを判断し、変更でない場合には確認と判断し、処理を終了する。変更であると判断した場合には、既に設定されている動作条件エリアを指定し、入力画面から変更動作条件を入力し、変更処理を実行する（Ｓ３４）。
【００４６】
しかる後、確認設定指示が入力されれば、その入力された変更動作条件データを記録装置３に送信し、防犯カメラ２を含む記録装置３の動作条件を設定する（Ｓ３５，Ｓ３６）。確認設定指示がなければ、動作条件を設定しない。これらステップＳ３１〜Ｓ３６の一連の処理は動作条件変更設定手段１１６に相当する。
【００４７】
従って、以上のような実施の形態によれば、携帯パソコンを携行することなくエレベータかご１内に設置されるタッチパネル付き表示器４を用いて、記録装置３に記録される映像を監視できるので、保守員や管理人の労力を軽減できる。また、常時、防犯カメラ２で撮影された映像を表示器４に表示すれば、犯罪等に対する抑止の効果も奏する。
【００４８】
また、このシステムにおいては、表示器４を用いて、記録装置３から表示条件のもとに映像を取出して表示したり、あるいは記録装置３から記憶条件のもとに映像を取出して記憶することができ、所要とする期間の映像を確実に読み出して表示し、或いは記憶することができる。
【００４９】
さらに、動作条件メニュー画面を表示し、既に設定されている動作条件を参照しながら動作条件を変更入力するので、状況に応じて防犯カメラ２を含む記録装置３の動作条件を容易に変更でき、柔軟性に富んだものとすることができる。
【００５０】
しかも、エレベータの運転中でも上記の一連の処理を実行でき、さらに従来のようにエレベータかご上部の記録装置３から切り離された状態にあって、必要時に携帯パソコンを接続するものと比較し、保守員の安全性を確保できる。
【００５１】
（実施の形態２）
図４は本発明に係るエレベータ用防犯システムの他の実施形態を説明する表示器の一例を示す図である。
【００５２】
このシステムは、エレベータかご１の内壁に表示器４を設置すること、また表示器４内のハード的構成及び一連の処理は図２及び図３と同様であるので、その同様な部分については図２及び図３の説明に譲る。
【００５３】
本発明システムにおいては、図２に示す構成に新たに、ＰＣカード制御部（図示せず）およびＰＣカードスロット（図示せず）等を搭載し、当該ＰＣカードスロット相当部分，つまり表示器４の例えば下部にカード挿入口２１を形成し、このカード挿入口２１に対してＰＣカード２２を挿脱可能に挿入する構成とする。
【００５４】
そして、実施の形態１による一連の処理の中で記録装置３に記録された映像を映像データ記憶部１６に記憶したが、ＰＣカード２２がカード挿入口２１に挿入されたことを検知し、ＰＣカード制御部を介して割込み信号が発生すると、演算処理制御部１１は、メニュー画面記憶部１４から転送操作画面を読み出して表示部２０に表示する。ここで、保守員または管理人等がタッチパネル１９の所定のエリアにタッチするか、転送操作画面と同時に表示部２０の表示画面下側に表示されるキーボードに相当する入力画面の必要なキーにタッチすると、転送指示操作ありと判断し、映像データ記憶部１６に記憶されている映像データをＰＣカード制御部およびＰＣカードスロットを通して高速通信によりＰＣカード２２にダウンロードする。
【００５５】
従って、以上のような実施の形態によれば、防犯映像をエレベータかご外に持ち出して映像表示ないし映像確認等の作業を行うことができ、保守員の持ち運びはＰＣカード２２だけであるので労力的な負担がほとんどなく、しかも定期的に映像をダウンロードし保存管理することができる。つまり、長期間にわたって映像データを保存でき、過去に何らかの事情で表示を必要とする場合でも、容易に読み出して表示することが可能である。
【００５６】
（実施の形態３）
図５及び図６は本発明に係るエレベータ用防犯システムの他の実施形態を示す構成図である。
【００５７】
実施の形態１のシステムでは、表示器４側に設けられるバスライン１２に映像データ等を送受するデータ送受信制御部１７が接続されているが、この送受信制御部１７に代えて、赤外線周波数に映像データを重畳させて送受信する赤外線送受信処理部２６を設け、この赤外線送受信処理部２６には赤外線ポート２７が設けられている。
【００５８】
一方、記録装置３側においても同様に赤外線送受信処理部および赤外線ポートが設けられている。
【００５９】
これら表示器４側赤外線通信ポート２７と記録装置３側赤外線通信ポートは少なくともエレベータかご１壁の貫通部分２８に対峙するごとく設けられている。
【００６０】
このシステムの一連の処理は図３と同様であるので、図３の説明に譲り、処理の説明を省略する。
【００６１】
また、防犯カメラ２と記録装置３との関係については、前述同様に赤外線送受信処理部および赤外線ポートを設け、防犯カメラ２で撮影された映像データ及び防犯カメラ２の駆動制御データの送受信を赤外線を利用して通信することも可能である。
【００６２】
（その他の実施の形態）
（１）　上記実施の形態では、エレベータかご１内壁に表示器４を固定設置したが、例えば表示器４の裏面側の四隅または上側２個所に弯曲凹状の係合部３１を設け、一方、表示器４の裏面四隅または裏面上側２個所の弯凹状の係合部３１に対応するエレベータかご１内壁に支持体３２を設け、必要なときだけ表示器４の裏面の係合部３１を支持体３２に係着する，表示器４の着脱自在な構成とする。なお、係合部３１と支持体３２とは逆に取付けてもよく、また係合部３１および支持体３２の形状は特に限定するものでなく、要は着脱自在な構成であれば良い。
【００６３】
また、映像データの送受信、動作条件の設定データ、映像表示、映像記録等の送受信は実施の形態３と同様に赤外線を用いて送受信を行い、かつ、一連の処理は図３などに従って実行する。
【００６４】
このような実施の形態によれば、必要な時だけ表示器４を取付けて動作条件の変更設や映像データを記憶して持ち帰ることが可能である。
【００６５】
（２）　さらに、予め適宜な記憶手段に保守員を識別するパスワードを設定し、保守員がタッチパネル１９からパスワードを入力したとき、設定されたパスワードと照合し、両パスワードが一致したとき、メニュー画面を表示すれば、いたずらなどの操作に十分に対処できる。このパスワードの入力処理は、図３においてステップＳ６による処理に相当する。
【００６６】
（３）　さらに、上記実施の形態では、連続記録や日時指定による動作条件のもとに防犯カメラ２で撮影された映像を記録する構成としたが、例えば連続記録又は日時指定とエレベータかごの適宜な個所に設置する人感センサによるかご内の人間の検知とを条件に防犯カメラ２を駆動制御し、防犯カメラ２で撮影された映像を記録する構成であってもよい。
【００６７】
（４）　さらに、防犯カメラ２は、エレベータかご内の様子を撮影することが目的であるが、例えば防犯カメラ２内にマイクロホンを埋め込み、映像とともに音声も記録することもできる。
【００６８】
（５）　さらに、タッチパネルを設けることなく、リモコン等を用いて、表示部２０にメニュー選択画面その他の画面を表示し、かつ、必要な情報を入力し、タッチパネルのタッチ操作と同様な処理を実行させることができる。
【００６９】
なお、本願発明は、上記実施の形態に限定されるものでなく、その要旨を逸脱しない範囲で種々変形して実施できる。また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【００７０】
【発明の効果】
以上説明したように本発明によれば、保守員や管理人等がエレベータかご内で少ない労力で短時間に安全に映像確認や記憶処理作業を行うことができる。
【００７１】
また、本発明は、エレベータかご内で記録装置や防犯カメラの動作条件等を簡単に設定できる。
【００７２】
さらに、表示器に記憶した記録装置からの映像をＰＣカードにダウンロードし、容易に外部に持ち出すことができる。
【図面の簡単な説明】
【図１】本発明に係るエレベータ用防犯システムの一実施の形態を示す構成図。
【図２】タッチパネル付き表示器の電気的なハード構成の一例を示す図。
【図３】タッチパネル付き表示器の一連の処理例を説明するフローチャート。
【図４】タッチパネル付き表示器にＰＣカードを適用可能にした一例を示す図。
【図５】タッチパネル付き表示器の電気的なハード構成の中に赤外線通信手段を設けた構成図。
【図６】赤外線通信を行う場合の記録装置と表示器とエレベータかごの壁との関係を示す図。
【図７】エレベータかごの壁に取り外し可能に表示器を取付けるための説明図。
【符号の説明】
１…エレベータかご
２…防犯カメラ
３…記録装置
４…表示器
１１…演算処理制御部
１４…メニュー画面記憶部
１６…映像データ記憶部
１７…送受信制御部
１９…タッチパネル
２０…表示部
２２…ＰＣカード
２６…赤外線通信処理部
２７…赤外線通信ポート
３１…係合部
３２…支持体
【図１】
2004064306.tif 000003
【図２】
2004064306.tif 000004
【図３】
2004064306.tif 000005
【図４】
2004064306.tif 000006
【図５】
2004064306.tif 000007
【図６】
2004064306.tif 000008
【図７】
2004064306.tif 000009